(57)【要約】  【課題】  オペレータの操作の負担を軽減し、室外機や室内機の故障状態を一目で確認でき、故障対応のサービス性の向上を行うこと。  【解決手段】  少なくとも１つの室外機と複数の室内機と集中管理装置とを通信回線で接続した空調機システムを構築し、集中管理装置に表示部を有し、表示部に表示される空調管理の基本画面にある故障表示エリアに、室外機や室内機の運転状態とは独立にかつ同時に室外機や室内機の故障状態を表示させ、この故障表示エリアを［故障表示設定］エリアや［故障詳細表示］エリアのタッチにより切り替えられる故障表示設定画面や故障詳細表示画面にも表示させる。更に、故障表示エリアは、故障した室内機や室外機から定期的に受信した故障状態データを故障レベル順に表示するエリアとし、故障状態データを故障の程度を重度から軽度まで５段階で表わしたレベル５からレベル１までの故障レベル順にスクロール表示またはフラッシング表示する。【選択図】  図７
2008170047.tif 000002
【特許請求の範囲】
【請求項１】
少なくとも１つの室外機と、複数の室内機と、前記室外機および前記室内機と通信回線を介して接続された集中管理装置とを備え、前記集中管理装置は表示部を有し、前記室外機および前記室内機から送信される運転状態データを前記表示部に表示する空調機システムであって、前記集中管理装置は、前記室外機および前記室内機から送信される故障状態データを受信し、前記故障状態データに対応させて予め設定した故障状態表示フォーマットに従って、前記運転状態データとは独立にかつ同時に前記故障状態データを前記表示部に表示させることを特徴とする空調機システム。
【請求項２】
前記故障状態表示フォーマットは、前記故障状態データの重要度に応じて設定されることを特徴とする請求項１記載の空調機システム。
【請求項３】
少なくとも１つの室外機と、複数の室内機と、前記室外機および前記室内機と通信回線を介して接続された集中管理装置とを備え、前記集中管理装置は表示部を有し、前記室外機および前記室内機から送信される運転状態データを前記表示部に表示する空調機システムの制御方法であって、前記集中管理装置は、前記室外機および前記室内機から送信される故障状態データを受信するステップと、前記故障状態データに対応させて予め設定した故障状態表示フォーマットに従って、前記運転状態データとは独立にかつ同時に前記故障状態データを前記表示部に表示させるステップとを実行してなることを特徴とする空調機システムの制御方法。
【請求項４】
前記故障状態表示フォーマットは、前記故障状態データの重要度に応じて設定されることを特徴とする請求項３記載の空調機システムの制御方法。
【請求項５】
少なくとも１つの室外機および複数の室内機と通信回線を介して接続された集中管理装置であって、前記集中管理装置は表示部を有し、前記室外機および前記室内機から送信される運転状態データを前記表示部に表示させるとともに、前記室外機および前記室内機から送信される故障状態データを受信し、前記故障状態データに対応させて予め設定した故障状態表示フォーマットに従って、前記運転状態データとは独立にかつ同時に前記故障状態データを前記表示部に表示させることを特徴とする集中管理装置。
【発明の詳細な説明】
【技術分野】
【０００１】
本発明は、少なくとも１つの室外機と、複数の室内機とを備えた空調機システムに係わり、より詳細には、この空調機システムの制御方法および集中管理装置に関する。
【背景技術】
【０００２】
従来、空調機システム全体を集中制御する集中管理装置については、様々なものが開示されている。この一例を図１のシステム構成図、図２の集中管理装置のブロック図を用いて説明する。なお、図１、図２の構成は本発明でも同じ構成で使用している。
【０００３】
図１に示すように空調機システムは、室外機Ｎｏ．２１、Ｎｏ．２２の２台の室外機１２と、リモコン１１がそれぞれ接続された室内機Ｎｏ．０１〜Ｎｏ．１０の１０台の室内機１０と、これらの室外機１２と室内機１０とを集中管理する集中管理装置１３とを備えている。なお、これらの機器は、互いに制御信号を送受信する空調機ネットワークの信号線（通信回線）で接続されている。なお、本願の内容と直接関係のない冷媒管などは図示と説明を省略している。
【０００４】
各室内機１０は、これらが設置される場所に対応して３つのグループに区別されている。例えば、図示しない事務室や会議室など、グループで一括制御した方が、個々の室内機１０をリモコン１１で制御する場合より、運用が容易になる時にグループ毎に一括制御を行なう。なお、システム全体の一括制御も行なうこともできる。この一括制御を指示する装置が集中管理装置１３である。
【０００５】
この集中管理装置１３は図２に示すように、液晶表示パネルからなる表示部１と、この表示部１の表示面に配置されたタッチパネルである入力部２と、システムに接続された機器の様々な管理データを管理テーブルとして記憶する記憶部４と、空調機ネットワークを介して室外機１２や室内機１０と通信を行なう通信部５と、表示部１と入力部２と記憶部４と通信部５とを制御する制御部３とを備えている。
【０００６】
この集中管理装置１３は、図示しないオペレータの操作により、入力部２からシステムに対する指示を入力し、この指示データを表示部１で表示させ、また、通信部５を介してこれらの指示を室外機１２や室内機１０に送信する。この指示を受信した室外機１２や室内機１０は、指示内容に従って運転開始／停止、冷房や暖房などの運転モードの決定、室内機１０が設置されている部屋に対する設定温度の設定などを実行する。なお、指示データ通りに実行した場合、この室外機１２や室内機１０の最新の運転状態を運転状態データとして集中管理装置１３へ返送する。集中管理装置１３では、返送された運転状態データを基にして管理テーブルを更新する。
【０００７】
また、室内機１０が設置されている部屋の室温や送風の風量などのデータを室内機１０から集中管理装置１３へ送信し、集中管理装置１３は、この受信したデータを記憶部４の管理テーブルへ記憶すると共に、表示部１で表示させる。一方、リモコン１１は、このリモコン１１が接続されている室内機１０に対してのみ、運転開始／停止、冷房や暖房などの運転モードの決定、室内機１０が設置されている部屋に対する設定温度の設定などを指示することができる。
【０００８】
そして、このリモコン１１での指示は全てデータとして集中管理装置１３へ送信され、記憶部４の管理テーブルに記憶されるため、集中管理装置１３では全ての室内機１０の状態を把握できる。また、この把握した状態をオペレータが表示部１を介して確認し、システム全体の室内機１０や、グループ毎の室内機１０、また個々の室内機１０に対して任意の指示を行なうことができる。
【０００９】
図３は図１で説明した室内機１０が設置されている建物の間取りを示す上面図であり、図３（Ａ）は建物１階、図３（Ｂ）は建物２階を示している。この建物は各部屋に１つづつ窓６があり、西の方向、又は、東の方向に窓６が配置されている。
【００１０】
また、この建物の１階には、部屋番号１０１〜１０５の部屋があり、各部屋には室内機Ｎｏ．０１〜０５の室内機１０が各１台設置されている。同様に、この建物の２階には、部屋番号２０１〜２０５の部屋があり、各部屋には室内機Ｎｏ．０６〜１０の室内機１０が１台ずつ設置されている。なお、部屋番号１０４と１０５とは会議室であり、必要に応じて室内機Ｎｏ．０４、０５を運転するようになっている。部屋番号１０１〜１０３は事務室であり、部屋番号２０１〜２０５は貸し店舗になっている。
【００１１】
図１３は記憶部４に格納されている管理テーブルであり、室内機１０と室外機１２との状態がリアルタイムで更新され記憶されている。この管理テーブルはシステムの設置時に規定される項目と、通常の運用において更新される項目とがある。
【００１２】
システムの設置時に規定される項目としては、室内機Ｎｏ．（室外機Ｎｏ．）、アドレス、種別、グループ、部屋番号がある。室内機Ｎｏ．（室外機Ｎｏ．）は室内機（室外機）を物理的に区別する番号であり、アドレスは空調機ネットワーク内の通信において通信相手を識別するために用いられる。種別は機器の種類、例えば室内機と室外機とを特定するためのものであり、グループは前述したように例えば１つの建物内で異なるテナントが複数ある場合、テナント毎に制御した方が効率的な場合などに使用される。部屋番号は室内機が実際に設置されている場所をオペレータが見易いようにするために用いられる。
【００１３】
通常の運用において更新される項目としては、電源、運転モード、設定温度、室内温度、タイマー設定、風量などがある。電源は対象室内機の電源入／切状態、運転モードは冷房／暖房などの区別、設定温度は室内機毎に設定されている目標となる室内温度、室内温度は現在の室温、タイマー設定は決められた時間に運転開始や運転停止を行なう設定、風量は現在運転中の室内機送風の強弱、をそれぞれ示している。これらの項目は、前述したように、オペレータの指示による集中管理装置１３から各室内機への指示に対するレスポンスとして受け取ったデータで更新される。もしくは、リモコンの操作による個別の室内機設定情報が集中管理装置１３へ送信され、記憶部４の管理テーブルがこれに基づいて更新される。なお、これらのタイミング以外に、定期的に室内機１０から集中管理装置１３へ送信される場合もある。
【００１４】
図１４は集中管理装置１３の表示部１に表示される画面の一例である。画面は大きく分けて、対象エリアと設定エリアとに分かれている。対象エリアでは室内機の現在の状態を確認することができる。この表示エリアには最大で５台の室内機の状態を表示することができる。このシステムには合計で１０台の室内機があるので、残りの室内機は『次頁』をタッチすれば次の５台分が表示される。前の室内機情報が見たい場合は『前頁』をタッチすればよい。
【００１５】
設定エリアには、制御対象、運転状態、運転モード、設定温度を設定するエリア（枠）があり、それぞれのエリアにタッチするたびに、設定内容が順次切り替わるようになっている。例えば制御対象のエリアでは、「個別」、「グループ」、「全体」が切り替わり、運転状態のエリアでは「入」、「切」、「変更なし」が切り替わり、運転モードのエリアでは、「冷房」、「暖房」、「変更なし」が切り替わるようになっている。
【００１６】
また、設定温度のエリアでは、左右に配置された「＋」と「−」とを一回タッチするごとに、中央の温度表示が１℃ずつアップ／ダウンする。そして、対象エリアの室内機Ｎｏ．をタッチすると該当する室内機の項目欄が全て黄色になり、選択対象を選択した状態になる。選択を中止する場合は、再度タッチすれば元の表示状態に戻り、選択が解除される。また、複数の室内機を同時に選択したい場合は、同様に該当欄をタッチする。
【００１７】
対象エリアで室内機Ｎｏ．をタッチして室内機を選択した後、『設定』エリアをタッチすると、設定エリアで選択した内容が集中管理装置１３から、対象エリアで選択した室内機へ指示データとして送信される。これを受信した室内機では、指示データに従って室内機を設定し運転する。また、同時に設定した内容を室内機から集中管理装置１３へ送信し、集中管理装置１３は、この受信データによって記憶部４の管理テーブルを書き換える。そして、この管理テーブルの内容は図１３に示すフォーマットで再表示される。従って、図１３は送信前の状態であるが、データが更新された後は、部屋番号１０２の設定温度が２５℃から２８℃に変化することになる。
【００１８】
図１５は制御対象が「グループ」の時の画面を示している。グループは３グループしかないので、全て表示されており、例えばグループ１を選択し、運転状態と運転モードとを「変更なし」に設定し、設定温度を２８℃にし、『設定』エリアをタッチする。すると、グループ１の対象機器、つまり、室内機Ｎｏ．０１〜０３の機器に２８℃の設定温度が設定される。
【００１９】
図１６は制御対象が「全体」の時の画面を示している。つまり、対象は全ての室内機となり、対象エリア（他の頁も含む）の機器全てが選択された状態になる。ここで、運転状態と運転モードとを「変更なし」に設定し、設定温度を２８℃にし、『設定』エリアをタッチする。すると、すべての対象機器、つまり、室内機Ｎｏ．０１〜１０の機器に２８℃の設定温度が設定される。
【００２０】
このように、集中管理装置１３では、記憶部４の管理テーブルのデータに基づき全ての室内機１０の状態を把握できる。また、この把握した状態をオペレータが表示部１を介して確認し、システム全体の室内機１０や、グループ毎の室内機１０、また個々の室内機１０に対して任意の指示を行ない、記憶部４の管理テーブルのデータを更新し、全ての室内機１０の状態を最新データとして把握することができるようになっている。
【００２１】
ところで、このような集中管理装置１３による室内機１０の運転状態の把握とは別に、空調機システムの２台の室外機１２や１０台の室内機１０の故障状態の把握は、従来、オペレータが定期的にそれぞれの室外機や室内機の設置場所を巡回したり、利用者からの連絡により設置場所に確認することで行われている。このようなオペレータの不便さを解消するため、近年では、集中管理装置１３によって複数の空調機の運転状態と、複数の空調機の故障状態とを把握することができるものが提案されている。
【００２２】
この提案されている空調機システム全体を集中制御する集中管理装置では、複数の空調機の故障状態データを受信し、受信した故障状態データを記憶部に記憶するようにし、表示部を介して空調機の故障状態を把握できるようになっている。これにより、表示部の同一画面上で空調機の運転状態と故障状態も把握することができるようになっている（例えば、特許文献１参照。）。
【００２３】
図１７は特許文献１の集中管理装置の表示部に表示される空調管理の基本画面を示している。「１９９５年９月２５日（月）１４：００」における空調管理の基本画面では、集中監視表示部Ｔ２にはＡＢＣビルディングに設置されている５５台の全ての空調機について、「運転中」か「停止中」か「故障中」のいずれであるかが表示されている。即ち、図１７においては、３５番の空調機が「故障中」であり（ドットで示す）、１７番、２４番、４３番の空調機が「停止中」であり（ダブルハッチングで示す）、５５台の空調機中の残りの５１台が「運転中」である（左下がりハッチングで示す）。
【００２４】
また、１２番の空調機に対応した「ボタン１２」がタッチされ（右下がりハッチングで示す）、空調機情報表示部Ｔ１の空調機番号表示部Ｔ１１と運転／停止表示部Ｔ１２には、（株）ＡＢＣの４階事務室に設置された「１２番」の空調機が「運転中」であることが表示されている。更に、１２番の空調機の運転モードが「冷房」、風量が「弱風」、ルーバが「ＯＮ」、空調機の吸込温度が「２６．５℃」、設定温度が「２５℃」などであることがそれぞれ表示されている。
【００２５】
図１７に示す空調管理の基本画面により全ての空調機が「運転中・停止中・故障中」のいずれかであるかを判断でき、また、所定の空調機番号をタッチすれば、その空調機の動作状態を把握することができるようになっている。
【００２６】
一方で図１７に示した空調管理の基本画面において、上述のように３５番の空調機が「故障中」である旨が表示されており、３５番の空調機に対応した「ボタン３５」がタッチされると、図１８に示すように、空調管理の基本画面が空調機情報表示部Ｔ１の空調機番号表示部Ｔ１１と運転／停止表示部Ｔ１２には、（株）ＡＢＣの４階事務室に設置された「３５番」の空調機の動作状態の表示となって点検内容表示に遷移し、集中監視表示部Ｔ２には３５番の空調機について「異常有り」と表示され、更に「点検コード：０３」と「フィルターづまり」であることが表示される。
【００２７】
この画面をオペレータが確認し、適切な手段を講ずることが可能となる。「確認ボタン」をタッチすれば、集中管理表示部Ｔ２は直前の画面（この場合は３５番の空調機のモニタ画面）に戻り、このとき、空調機情報表示部Ｔ１は３５番の空調機の情報を変更するようになっている。
【００２８】
しかしながら、オペレータが空調機の故障状況データの内容を確認するには、図１７の空調管理の基本画面から「故障中」を示す３５番の空調機の「ボタン３５」をタッチし、図１８の点検内容表示に遷移する必要があり、操作に手間がかかるばかりか、空調管理の同一画面上で一目で確認できないという問題点があった。また、図１８の点検内容表示に遷移し、３５番の空調機の故障状態データの内容を確認できるが、空調管理の同一画面上でその他の空調機の運転状態とともに独立に同時に確認できないという問題点があった。
【００２９】
更に、図１８の点検内容表示によって３５番の空調機の故障状態データの内容を確認することができるが、オペレータが「フィルターづまり」の故障が重度の故障なのか、軽度の故障なのかといった空調機の故障の程度を直感的に把握できないという問題点があった。また、図１８の点検内容表示では３５番の空調機１台のみの表示であるため、複数の空調機が「故障中」であった場合に、複数の空調機の故障の程度を把握できず、オペレータが故障対応のために空調管理の同一画面上で一目で確認できなくなり、故障対応のサービス性が低下してしまうという問題点があった。
【特許文献１】特開平９−２５７２９７号公報（第４頁−第６頁、図６及び図１５）
【発明の開示】
【発明が解決しようとする課題】
【００３０】
本発明は以上述べた問題点を解決し、室外機や室内機の運転状態とは独立にかつ同時に室外機や室内機の故障状態も表示できるとともに、室外機や室内機の故障の程度を把握できるようにすることにより、オペレータの操作の負担を軽減し、室外機や室内機の故障状態を一目で確認することができ、故障対応のサービス性を向上することができる空調機システム、空調機システムの制御方法および集中管理装置を提供することを目的とする。
【課題を解決するための手段】
【００３１】
本発明は上述の課題を解決するため、請求項１に係わる発明は、少なくとも１つの室外機と、複数の室内機と、前記室外機および前記室内機と通信回線を介して接続された集中管理装置とを備え、前記集中管理装置は表示部を有し、前記室外機および前記室内機から送信される運転状態データを前記表示部に表示する空調機システムであって、前記集中管理装置は、前記室外機および前記室内機から送信される故障状態データを受信し、前記故障状態データに対応させて予め設定した故障状態表示フォーマットに従って、前記運転状態データとは独立にかつ同時に前記故障状態データを前記表示部に表示させることを特徴とする。
【００３２】
また、請求項２に係わる発明は、請求項１記載の空調機システムにおいて、前記故障状態表示フォーマットは、前記故障状態データの重要度に応じて設定されることを特徴とする。
【００３３】
また、請求項３に係わる発明は、少なくとも１つの室外機と、複数の室内機と、前記室外機および前記室内機と通信回線を介して接続された集中管理装置とを備え、前記集中管理装置は表示部を有し、前記室外機および前記室内機から送信される運転状態データを前記表示部に表示する空調機システムの制御方法であって、前記集中管理装置は、前記室外機および前記室内機から送信される故障状態データを受信するステップと、前記故障状態データに対応させて予め設定した故障状態表示フォーマットに従って、前記運転状態データとは独立にかつ同時に前記故障状態データを前記表示部に表示させるステップとを実行してなることを特徴とする。
【００３４】
また、請求項４に係わる発明は、請求項３記載の空調機システムの制御方法において、前記故障状態表示フォーマットは、前記故障状態データの重要度に応じて設定されることを特徴とする。
【００３５】
また、請求項５に係わる発明は、少なくとも１つの室外機および複数の室内機と通信回線を介して接続された集中管理装置であって、前記集中管理装置は表示部を有し、前記室外機および前記室内機から送信される運転状態データを前記表示部に表示させるとともに、前記室外機および前記室内機から送信される故障状態データを受信し、前記故障状態データに対応させて予め設定した故障状態表示フォーマットに従って、前記運転状態データとは独立にかつ同時に前記故障状態データを前記表示部に表示させることを特徴とする。
【発明の効果】
【００３６】
以上の手段を用いることにより、本発明による空調機システムによれば、請求項１に係わる発明は、室外機や室内機の運転状態データとは独立にかつ同時に室外機や室内機の故障状態データも表示できるとともに、室外機や室内機の故障の程度を把握できるようにすることにより、オペレータの操作の負担を軽減し、室外機や室内機の故障状態を一目で確認することができ、故障対応のサービス性を向上することができる。
【００３７】
また、請求項２に係わる発明は、室外機や室内機の故障状態データも表示できるとともに、室外機や室内機の故障の程度を直感的に容易に把握できる。
【００３８】
一方、本発明による空調機システムの制御方法によれば、請求項３に係わる発明は、請求項１に係わる発明と同様な効果を得ることができる。
【００３９】
また、請求項４に係わる発明は、請求項２に係わる発明と同様な効果を得ることができる。
【００４０】
他方、本発明による集中管理装置によれば、請求項５に係わる発明は、請求項１または請求項３に係わる発明と同様な効果を得ることができる。
【発明を実施するための最良の形態】
【００４１】
以下、本発明の実施の形態を、添付図面に基づいた実施例として詳細に説明する。なお、背景技術で説明した部分については同一の番号を付与すると共に、詳細な説明を省略する。
【実施例１】
【００４２】
本発明による空調機システム、及び集中管理装置のハードウェア部分は、図１と図２に示す構成であり、背景技術で説明した通りである。つまり、この空調機システムは、室外機Ｎｏ．２１、Ｎｏ．２２の２台の室外機１２と、リモコン１１がそれぞれ接続された室内機Ｎｏ．０１〜Ｎｏ．１０の１０台の室内機１０と、これらの室外機１２と室内機１０とを集中管理する集中管理装置１３とを備えている。なお、これらの機器は、互いに制御信号を送受信する空調機ネットワークの信号線（通信回線）で接続されている。
【００４３】
各室内機１０は、これらが設置される場所に対応して３つのグループに区別されている。例えば、図示しない事務室や会議室など、グループで一括制御した方が、個々の室内機１０をリモコン１１で制御する場合より、運用が容易になる時にグループ毎やシステム全体の一括制御を行なう。この一括制御を指示する装置が集中管理装置１３である。
【００４４】
この集中管理装置１３は図２に示すように、液晶表示パネルからなる表示部１と、この表示部１の表示面に配置されたタッチパネルである入力部２と、システム内機器の様々な管理データを記憶する記憶部４と、空調機ネットワークを介して室外機１２や室内機１０と通信を行なう通信部５と、表示部１と入力部２と記憶部４と通信部５とを制御する制御部３とを備えている。
【００４５】
図４は記憶部４に格納されている第１管理テーブルであり、室内機１０や室外機１２の運転状態をリアルタイムで把握するために、各機器から随時送られてくる運転状態データを基に更新される。この第１管理テーブルも基本的には背景技術で説明した通りである。つまり、システムの設置時に規定される項目としては、室内機Ｎｏ．（室外機Ｎｏ．）、アドレス、種別、グループ、部屋番号がある。一方、通常の運用において更新される項目としては、電源、運転モード、設定温度、室内温度、タイマー設定、風量などがある。
【００４６】
図５は記憶部４に格納されている第２管理テーブルであり、室内機１０や室外機１２の故障状態をリアルタイムで把握するために、各機器から定期的に送られてくる故障状態データに対応させて故障状態表示フォーマットを設定するための項目を予め記憶したものである。この第２管理テーブルの項目としては、コードＮｏ．、故障項目、故障レベル・表示色、故障発生回数によるレベルアップ、種別、表示区分がある。なお、各機器からの故障状態データの送信タイミングは例えば、各機器の故障検出のタイミングで送られてくる場合でもよく、空調機システムの設計により決定されるものである。
【００４７】
図６は記憶部４に格納されている第３管理テーブルであり、室内機１０や室外機１２の故障状態をリアルタイムで把握するために、各機器から定期的に送られてくる故障状態データを基に更新される。この第３管理テーブルの項目としては、各機器毎に記憶される故障項目、故障レベル（設定）、現在レベル、故障発生日時、故障発生回数（設定）、故障発生回数、現在表示色がある。なお、故障項目、故障レベル（設定）、故障発生回数（設定）の項目は、図５に示す第２管理テーブルに記憶された故障項目、故障レベル・表示色、故障発生回数によるレベルアップの項目と対応して記憶され、現在レベル、現在表示色の項目は、図５に示す第２管理テーブルに記憶された故障レベル・表示色、故障発生回数によるレベルアップの項目と連係して更新されるものである。
【００４８】
本発明では、制御部３が記憶部４の第２管理テーブル、第３管理テーブルに記憶された情報を利用して、室内機１０や室外機１２の運転状態データとは独立にかつ同時に、室内機１０や室外機１２の故障状態データと、その故障の程度とを表示部１に表示していることが特徴である。
【００４９】
図７は本発明による空調機システムの制御方法による集中管理装置１３の表示部１に表示される空調管理の基本画面である。運転動作設定エリアには、制御対象、運転状態、運転モード、設定温度を設定するエリア（枠）があり、それぞれのエリアにタッチするたびに、設定内容が順次切り替わるようになっている。例えば制御対象のエリアでは、「個別」、「グループ」、「全体」が切り替わり、運転状態のエリアでは「入」、「切」、「変更なし」が切り替わり、運転モードのエリアでは、「冷房」、「暖房」、「変更なし」が切り替わるようになっている。
【００５０】
また、設定温度のエリアでは、左右に配置された「＋」と「−」とを一回タッチするごとに、中央の温度表示が１℃ずつアップ／ダウンする。そして、対象エリアの室内機Ｎｏ．をタッチすると該当する室内機１０の項目欄が全て黄色になり、選択対象を選択した状態になる。選択を中止する場合は、再度タッチすれば元の表示状態に戻り、選択が解除される。また、複数を同時に選択したい場合は、同様に該当欄をタッチする。
【００５１】
対象エリアで室内機１０を選択した後、運転動作設定エリアにある［設定］エリアをタッチすると、運転動作設定エリアで選択した制御対象、運転状態、運転モード、設定温度の内容が集中管理装置１３から、対象エリアで選択した室内機１０へ指示データとして送信される。これを受信した室内機１０では、指示データに従って室内機１０を設定し運転する。また、同時に設定した内容を室内機１０から集中管理装置１３へ送信し、集中管理装置１３は、この受信データによって記憶部４の第１管理テーブルを書き換える。
【００５２】
以上の空調管理の基本画面と機能の説明は背景技術で説明した通りである。本発明ではこれらの機能に加えて、空調管理の基本画面に故障表示エリアを備え、対象エリアに［故障表示設定］エリアと［故障詳細表示］エリアとを備えたところが特徴である。
【００５３】
つまり、図７に示す空調管理の基本画面にある故障表示エリアに、同時に独立して室内機１０や室外機１２の故障状態を表示させ、この故障状態を表示させる故障表示エリアを［故障表示設定］エリアや［故障詳細表示］エリアのタッチにより切り替えられる故障表示設定画面や故障詳細表示画面にも表示させるようになっている。
【００５４】
このため、表示部１に表示される空調管理の各画面毎の故障表示エリアに、同時に独立して室外機１２や室内機１０の故障状態も表示できるため、オペレータの操作の負担を軽減し、室外機１２や室内機１０の故障状態を一目で確認でき、故障対応のサービス性を向上させることができる。
【００５５】
この図７に示す空調管理の基本画面にある故障表示エリアは、複数の室内機１０や複数の室外機１２から定期的に受信した故障状態データを、予め設定した故障状態表示フォーマットに従って表示するエリア（枠）であり、故障状態データがその故障の程度を軽度から重度まで５段階で表わしたレベル１からレベル５までの故障レベル順にスクロール表示またはフラッシング表示される。
【００５６】
故障表示エリアへの故障状態データの表示は、図８に示す表示部１に表示される空調管理の故障表示設定画面に予め設定された故障状態表示フォーマットに従って表示される。空調管理の故障表示設定画面の設定エリアには、故障レベル・表示色、故障発生回数によるレベルアップ、表示区分を設定するエリア（枠）があり、それぞれのエリアにタッチするたびに、設定内容が順次切り替わるようになっている。例えば、故障レベル・表示色のエリアでは「レベル５・赤」、「レベル４・黄」、「レベル３・橙」、「レベル２・緑」、「レベル１・青」が切り替わり、故障発生回数によるレベルアップのエリアでは「２回・レベル１」、「２回・レベル２」、「３回・レベル１」、「３回・レベル２」、「指定なし」が切り替わり、表示区分のエリアでは、「スクロール」、「フラッシング」が切り替わるようになっている。
【００５７】
そして、故障項目エリアのコードＮｏ．をタッチすると該当する故障項目の欄が全て黄色になり、設定対象を選択した状態になる。選択を中止する場合は、再度タッチすれば元の表示状態に戻り、選択が解除される。また、複数を同時に選択したい場合は、同様に該当欄をタッチする。なお、［前頁］エリア、［次頁］エリアをタッチするとその他の故障項目の表示ページに切り替わるようになっている。
【００５８】
故障項目エリアで設定対象の故障項目を選択した後、同じ故障項目エリアにある［設定］エリアをタッチすると、設定エリアで選択した故障レベル・表示色、故障発生回数によるレベルアップの内容が集中管理装置１３の記憶部４の第２管理テーブルに予め記憶される。また、設定エリアで選択した表示区分の内容はそれぞれの故障項目に共通する内容として第２管理テーブルに予め記憶される。これらの故障項目ごとの設定データは、複数の室内機１０や複数の室外機１２から受信した故障状態データに対応させて、いずれの故障レベル・表示色、故障発生回数によるレベルアップの内容に該当するか否かを抽出するために用いられる。
【００５９】
なお、この空調管理の故障表示設定画面での設定は通常、システムの設置時に設定されて運用時にそれほど利用される画面ではないが、長期の空調管理の状況の中で例えば、ある故障項目の故障発生回数によるレベルアップ、表示区分の内容を設定変更でき、集中管理装置１３の記憶部４の第２管理テーブルを書き換えることができる。
【００６０】
また、設定エリアで選択した表示区分が「スクロール」のときは、故障表示エリアに表示される室内機１０や室外機１２の故障状態データを、故障レベル・表示色のエリアで設定された故障レベル・表示色により把握可能に表示されるようになっている。図７に示す故障表示エリアには、故障した室内機Ｎｏ．０３の事務室に設置された室内機が、室外機通信異常で、この異常がレベル５の重度の故障であることが示され、表示文字が赤色表示されている状態を示したものである。一方、表示区分が「フラッシング」のときは、故障表示エリアに表示される故障状態データの表示文字を故障レベル・表示色のエリアで設定された表示色で表示するのではなく、故障表示エリアの背景を、故障レベル・表示色のエリアで設定された表示色により把握可能に表示されるようになっている。
【００６１】
更に、故障表示エリアには同一機器の複数の故障状態データが受信された場合、これらの故障状態データを表示するときは、故障レベル順に連続的に表示されるようになっている。なお、制御部３の空調管理の故障表示設定に係わるプログラムを変更することにより、スクロール表示またはフラッシング表示は、例えば故障の程度が比較的に重度であるレベル５、レベル４のみの故障状態データを表示させることもでき、レベル５の単独の故障状態データを反復して表示させることもできる。
【００６２】
次に、図９は表示部１に表示される空調管理の故障詳細表示画面である。表示切替エリアには、対象機器、表示区分を指定するエリア（枠）があり、それぞれのエリアの△印にタッチするとポップアップ表示に切り替わるようになっている。例えば、対象機器のエリアの△印にタッチすると表示対象の室内機Ｎｏ．の「室内機０１〜室内機１０」の全ての一覧が表示され、表示区分のエリアの△印にタッチすると表示する順番の「コード順、故障発生日時順」の一覧が表示される。
【００６３】
そして、一覧表示された表示対象の室内機Ｎｏ．と、表示する順番のいずれかをタッチすると黄色になり、選択した状態になる。選択を中止する場合は、再度タッチすれば元の表示状態に戻り、選択が解除される。選択した状態で表示切替エリアにある［表示］エリアをタッチすると、集中管理装置１３の記憶部４の第３管理テーブルに記憶されているデータからコードＮｏ．、故障発生日時、故障項目、現在レベル、故障発生回数の内容が抽出され、故障詳細エリアに一覧表示される。図９に示す故障詳細エリアには、室内機Ｎｏ．０１の室内機１０の過去に発生した故障項目について、コードＮｏ．順に一覧表示されている状態を示したものである。
【００６４】
なお、この一覧表示は、［前頁］エリア、［次頁］エリアをタッチすると前後の表示ページに切り替わるようになっており、表示対象の室内機１０を選択すると、その室内機１０に接続されている室外機１２も連動して集中管理装置１３の記憶部４の第３管理テーブルに記憶されているデータから抽出されるようになっている。
【００６５】
このように、図７に示す空調管理の基本画面、図８に示す空調管理の故障表示設定画面、図９に示す空調管理の故障詳細表示画面のいずれかを表示させたとき、故障表示エリアに同時に独立して室内機１０や室外機１２の故障状態を表示させるが、この表示を行なうための集中管理装置１３の構成と動作をまとめると次のようになっている。
【００６６】
即ち、図２で説明した集中管理装置１３は、２台の室外機１２および１０台の室内機１０から送信される運転状態データを表示部１に表示するものである。更に、集中管理装置１３は、通信部５を介して２台の室外機１２および１０台の室内機１０から送信される故障状態データを受信し、制御部３の制御によって、受信した故障状態データを記憶部４に記憶させる。また、制御部３の制御によって、この記憶した故障状態データに対応させて予め設定し記憶部４に記憶させた故障状態表示フォーマットに従って、運転状態データとは独立にかつ同時に故障状態データを表示部１に表示させるようになっている。
【００６７】
また、故障状態表示フォーマットは、故障状態データの重要度に応じて設定される。この故障状態データの重要度は、記憶部４に記憶された軽度から重度までの故障を数値で表わした故障レベルと、この故障レベルに対応する表示色により表わされる。故障状態表示フォーマットは例えば、故障レベルと対に、受信した故障状態データを故障レベルに対応する表示色で表示するフォーマットになっている。
【００６８】
また、故障状態データの重要度は、同一の故障状態データの発生回数に応じて更新される。制御部３の制御によって、記憶部４の別領域に、受信した故障状態データの発生回数を記憶させ、記憶した発生回数に基づき、故障レベルを格上げし、この格上げした故障レベルに対応する表示色に更新し記憶部４に記憶させる。これにより、室外機１２や室内機１０の故障が軽度であったとしても、同一の故障が発生したときの発生回数により故障の重要度を視覚的に容易に把握でき、オペレータの故障対応のサービス性を向上させることができる。
【００６９】
更に、制御部３は、故障した室外機１２または室内機１０から送信された複数の故障状態データを受信した場合、故障状態表示フォーマットは、故障状態データの重要度に応じてスクロール表示またはフラッシング表示を実行するように設定される。この故障表示フォーマットは、受信した複数の故障状態データを故障レベルの順番に一定周期でスクロール表示またはフラッシング表示を実行するフォーマットになっている。これにより、複数の室外機１２や複数の室内機１０について、それぞれの故障の程度を視覚的に容易に把握でき、オペレータの故障対応のサービス性を向上させることができる。
【００７０】
図１０は図７乃至図９に示す各管理画面の故障表示エリアに、複数の室外機１２や複数の室内機１０の故障状態をスクロール表示またはフラッシング表示するときの、ループ表示順番例である。制御部３では、故障した室外機１２や室内機１０から受信した故障状態データを、故障の程度が重度から軽度の故障レベルの順番でループ表示するようにしている。このとき、室外機１２と室内機１０が同等の故障レベルの場合に、室外機１２の故障状態データを室内機１０の故障状態データに優先させて表示するようにしたものである。例えば、図１０では、室外機Ｎｏ．２１の室外機１２の圧縮機異常の故障レベルがレベル５、室内機Ｎｏ．０３の室内機１０の室外機通信異常の故障レベルがレベル５と同等の故障レベルとなっているが、室外機Ｎｏ．２１の室外機１２の圧縮機異常について、優先させて表示するようにしている。これにより、室外機Ｎｏ．２１の室外機１２の故障状態を優先して把握できるため、室外機Ｎｏ．２１の室外機１２に接続されているグループ１およびグループ２の複数の室内機１００の対処を迅速に行うことができる。
【００７１】
図１１は図７乃至図９に示す各管理画面の故障表示エリアに、複数の室外機１２や複数の室内機１０の故障状態をスクロール表示またはフラッシング表示するときの、ループ表示制御例である。制御部３では、故障した室外機１２や室内機１０から受信した故障状態データを、故障の程度が重度から軽度の故障レベルの順番で、故障の程度が重度の故障レベルの故障状態データになるほど、その故障状態データの表示時間を長くするように表示させるものである。例えば、図１１では、レベル５からレベル１までの各故障レベルの故障状態データについて、レベル５の故障レベルの故障状態データの表示時間が最も長く、レベル１の故障レベルの故障状態データの表示時間が最も短くなるように、ループ表示制御される。これにより、オペレータが特に意識することなく、故障の程度が重度の故障レベルの故障状態をより把握しやすくすることができる。
【００７２】
なお、以上説明した実施例では、入力部２としてタッチパネルを使用しているがこれに限るものでなく、通常のキーボードと表示装置の組合せでもよい。また、図７に示す空調管理の基本画面の運転動作設定エリア、図８に示す空調管理の故障表示設定画面の設定エリアでの項目選択に複数回のタッチで項目を選択するようにしているが、プルダウンメニュー方式で全ての選択項目を一時的に表示させるようにしてもよい。
【００７３】
さらに、図７に示す空調管理の基本画面に表示される項目は一例であり、表示項目を絞ったり追加してもよい。なお、その場合は図４の第１管理テーブルも対応して追加削除することになる。例えば集中管理装置１３から各室内機１０の風量を設定するようにしたり、各室内機１０から上下風向板の角度情報を送信させ、この情報を項目に追加したりしてもよい。
【００７４】
次に図１２のフローチャートを用いて集中管理装置１３の制御部３の処理内容を詳細に説明する。なお図中のＳＴはステップを表し、これに続く数字はステップ番号を、また、ＹはＹｅｓを、ＮはＮｏをそれぞれ表している。また、以下の説明でキーの押下（入力）と表現しているが、キーとはタッチパネルにおいて、［次頁］など、入力するために押下されるエリア（項目）を示し、押下とはこのエリアにオペレータがタッチすることを意味する。
【００７５】
まず最初に集中管理装置１３の制御部３は、記憶部４に格納された第１管理テーブルから順に５台の室内機１０や室外機１２の運転状態データを取り出して、表示部１の対象エリアの画面に表示させる一方、記憶部４に格納された第３管理テーブルから故障レベルの順番に室外機１２や室内機１０の故障状態データを取り出して、表示部１の故障表示エリアの画面に表示させる（ＳＴ１）。このとき同時に、設定エリアも含めて所定の画面フォーマットで表示する。
【００７６】
次に、室内機側や室外機側からの各室内機１０や室外機１２の運転状態データを受信したか確認する（ＳＴ２）。運転状態データを受信してない場合（ＳＴ２−Ｎ）、次に設定キーが入力されたか確認し（ＳＴ３）、設定キーが入力された場合（ＳＴ３−Ｙ）、対象エリアで黄色に選択された室内機１０へ現在表示されている設定エリアの設定情報を指示データとして送信する（ＳＴ４）。なお、ステップ４で対象エリアに黄色に選択された室内機１０が無ければ、何も処理しないでこのステップを抜ける。そして、ＳＴ２へジャンプする。
【００７７】
一方、設定キーが入力されていない場合（ＳＴ３−Ｎ）、故障表示設定キーが入力されたか確認する（ＳＴ５）。故障表示設定キーが入力された場合（ＳＴ５−Ｙ）、記憶部４に格納された第２管理テーブルからコードＮｏ．順に５個の室内機１０や室外機１２の故障項目を取り出して、表示部１の故障項目エリアの画面に表示させる一方、記憶部４に格納された第２管理テーブルから故障項目に関する故障表示設定データを取り出して、表示部１の設定エリアの画面に表示させる（ＳＴ６）。
【００７８】
ＳＴ７ではこれらの画面に表示される各キー毎の処理として以下の処理を行なう。［前頁］や［次頁］のキーが押下された場合、第２管理テーブルから前後５個の室内機１０や室外機１２の故障項目をコードＮｏ．順に抽出して表示を行なう。故障レベル・表示色／故障発生回数によるレベルアップ／表示区分キーが押下された場合、押下される毎に、それぞれのキーに対応して定められている選択項目を順次表示する。
【００７９】
故障項目エリアに表示されている［コードＮｏ．］のエリアが押下された場合、その故障項目も含めて黄色に表示する。この状態で［設定］キーが押下されると、この故障項目に関する故障表示設定データとして、故障レベル・表示色／故障発生回数によるレベルアップ／表示区分キーのそれぞれの選択項目のデータが設定される。また、黄色で表示された［コードＮｏ．］のエリアが再度押下されたら、黄色表示をやめて元の状態に戻して表示する。そして、設定が完了すれば、自動的にＳＴ１の画面に遷移するとともに、ＳＴ２へジャンプする。
【００８０】
ところで、故障表示設定キーが入力されていない場合（ＳＴ５−Ｎ）は、故障詳細表示キーが入力されたか確認する（ＳＴ８）。故障詳細表示キーが入力された場合（ＳＴ８−Ｙ）、記憶部４に格納された第３管理テーブルからコードＮｏ．順または故障発生日時順に５個の室内機１０や室外機１２の故障項目に関するデータを取り出して、表示部１の故障詳細エリアの画面に表示させる一方、記憶部４に格納された第１管理テーブルからこれらの故障項目に対応する対象機器の室内機１０や室外機１２の固有情報や、図示を省略した記憶部４に記憶された表示区分のデータを取り出して、表示部１の表示切替エリアの画面に表示させる（ＳＴ９）。
【００８１】
ＳＴ１０ではこれらの画面に表示される各キー毎の処理として以下の処理を行なう。［前頁］や［次頁］のキーが押下された場合、第３管理テーブルから前後５個の表示対象の室内機１０におけるコードＮｏ．、故障発生日時、故障項目、現在レベル等の故障に関するデータを抽出して表示を行なう。この表示を行なうため、対象機器のキーが押下されると、表示対象の室内機１０の室内機Ｎｏ．の一覧が表示され、表示すべき室内機１０を押下すると、その室内機１０を黄色で表示させる。なお、再度その室内機１０を押下すると、黄色表示をやめて元の状態に戻して表示する。
【００８２】
更に、表示区分のキーが押下されると、故障内容を表示する順番の一覧が表示され、コードＮｏ．順または故障発生日時順のいずれかを押下すると、その順番を黄色で表示させる。この状態で［表示］のキーが押下された場合、表示対象の室内機１０とこの室内機１０に接続されている室外機１２について、表示区分のキーで選択された表示の順番で、故障に関するデータを一覧表示させる。そして、表示を終了すれば、自動的にＳＴ１の画面に遷移するとともに、ＳＴ２へジャンプする。
【００８３】
故障詳細表示キーが入力されていない場合（ＳＴ８−Ｎ）は、次に室内機１０や室外機１２から故障状態データを受信する（ＳＴ１１）。故障状態データを受信してない場合（ＳＴ１１−Ｎ）、ＳＴ１の画面に遷移するとともに、ＳＴ２へジャンプする。一方、故障状態データを受信した場合（ＳＴ１２−Ｙ）は、この受信した故障状態データと対応する第３管理テーブルのデータを更新し（ＳＴ１２）、更新結果に基づいて故障表示エリアに故障状態を表示させる（ＳＴ１３）。そして、ＳＴ２へジャンプする。
【００８４】
ところで、ＳＴ２において運転状態データを受信した場合（ＳＴ２−Ｙ）、この受信した運転状態データと対応する第１管理テーブルのデータを更新し（ＳＴ１４）、更新結果に基づいて対象エリアに運転状態を表示させる（ＳＴ１５）。そして、ＳＴ２へジャンプする。
【図面の簡単な説明】
【００８５】
【図１】本発明、及び従来技術による空調機システムの実施例を示すシステム構成図である。
【図２】本発明、及び従来技術による集中管理装置の実施例を示すブロック図である。
【図３】空調機システムが設置された建物の間取図であり、（Ａ）は１階を、（Ｂ）は２階をそれぞれ示している。
【図４】本発明による第１管理テーブルを説明する説明図である。
【図５】本発明による第２管理テーブルを説明する説明図である。
【図６】本発明による第３管理テーブルを説明する説明図である。
【図７】本発明による表示内容を説明する説明図である。
【図８】本発明による他の表示内容を説明する説明図である。
【図９】本発明による別の表示内容を説明する説明図である。
【図１０】図７乃至図９の故障表示エリアのループ表示順番例を説明する説明図である。
【図１１】図７乃至図９の故障表示エリアのループ表示制御例を説明する説明図である。
【図１２】集中管理装置の制御部の処理を説明するフローチャートである。
【図１３】従来の管理テーブルを説明する説明図である。
【図１４】従来の第１の表示内容を説明する説明図である。
【図１５】従来の第２の表示内容を説明する説明図である。
【図１６】従来の第３の表示内容を説明する説明図である。
【図１７】従来の第４の表示内容を説明する説明図である。
【図１８】従来の第５の表示内容を説明する説明図である。
【符号の説明】
【００８６】
１  表示部
２  入力部
３  制御部
４  記憶部
５  通信部
６  窓
１０  室内機
１１  リモコン
１２  室外機
１３  集中管理装置
【図１】
2008170047.tif 000003
【図２】
2008170047.tif 000004
【図３】
2008170047.tif 000005
【図４】
2008170047.tif 000006
【図５】
2008170047.tif 000007
【図６】
2008170047.tif 000008
【図７】
2008170047.tif 000009
【図８】
2008170047.tif 000010
【図９】
2008170047.tif 000011
【図１０】
2008170047.tif 000012
【図１１】
2008170047.tif 000013
【図１２】
2008170047.tif 000014
【図１３】
2008170047.tif 000015
【図１４】
2008170047.tif 000016
【図１５】
2008170047.tif 000017
【図１６】
2008170047.tif 000018
【図１７】
2008170047.tif 000019
【図１８】
2008170047.tif 000020